(57)【要約】【課題】製造コストの低減、および利便性の向上を図り得る測定装置を提供する。【解決手段】キーボードとして認識されるように外部装置（例えば携帯情報端末２）に対して接続可能に構成された通信部１２を備え、処理部１５は、第１の条件が満たされたときに、測定値データＤ１，Ｄ１ａの測定値をキーボード操作時出力信号に変換して通信部１２から外部装置に送信して外部装置の測定値入力画面における測定値入力欄に測定値を入力する測定値入力処理を実行可能に構成されると共に、測定値入力画面内に測定値入力欄が複数存在するときに、測定値入力処理において、測定値を入力すべき測定値入力欄の測定値入力画面内における位置に応じて、測定値を入力すべき測定値入力欄を指定するキー操作に対応するキーボード操作時出力信号を、測定値を変換したキーボード操作時出力信号に先立って通信部１２から外部装置に送信する。【選択図】図１
2022001859.tif 000002
【特許請求の範囲】
【請求項１】
測定部と、当該測定部によって測定された測定値に基づいて測定値データを生成する処理部と、キーボードとして認識されるように外部装置に対して接続可能に構成されると共に前記処理部の制御に従ってキーボード操作時出力信号を当該外部装置に送信可能に構成された通信部とを備え、
前記処理部は、予め規定された第１の条件が満たされたときに、前記測定値データの前記測定値を前記キーボード操作時出力信号に変換して前記通信部から前記外部装置に送信して当該外部装置の測定値入力画面における測定値入力欄に当該測定値を入力する測定値入力処理を実行可能に構成されると共に、前記測定値入力画面内に前記測定値入力欄が複数存在するときに、前記測定値入力処理において、前記測定値を入力すべき当該測定値入力欄の当該測定値入力画面内における位置に応じて、当該測定値を入力すべき測定値入力欄を指定するキー操作に対応する前記キーボード操作時出力信号を、当該測定値を変換した前記キーボード操作時出力信号に先立って前記通信部から前記外部装置に送信する測定装置。
【請求項２】
前記処理部は、前記測定値入力処理において、前記測定値データの前記測定値を構成している記号のなかに１つのキーのキー操作によって入力できない第１の記号が存在するときに、当該第１の記号に対応して予め規定された第１の文字列を入力するキー操作に対応する前記キーボード操作時出力信号を当該第１の記号に対応する当該キーボード操作時出力信号として送信する請求項１記載の測定装置。
【請求項３】
前記処理部は、前記測定値入力処理において、予め規定された第２の条件が満たされたときに、前記測定値データの前記測定値を補助単位を含めた指数表記形式に変換し、変換後の当該測定値を前記キーボード操作時出力信号に変換して送信する請求項１または２記載の測定装置。
【請求項４】
前記処理部は、前記測定値入力処理において、予め規定された第３の条件が満たされたときに、前記測定値データの前記測定値における補助単位を予め規定された変更手順に従って変更し、変換後の当該測定値を前記キーボード操作時出力信号に変換して送信する請求項１から３のいずれかに記載の測定装置。
【請求項５】
請求項１から４のいずれかに記載の測定装置と、前記外部装置としての情報処理端末とを備えている測定システム。
【発明の詳細な説明】
【技術分野】
【０００１】
本発明は、測定値に基づいて測定値データを生成すると共に生成した測定値データの測定値を外部装置に送信可能に構成された測定装置、およびそのような測定装置と外部装置としての情報処理端末とを備えた測定システムに関するものである。
【背景技術】
【０００２】
例えば、電気設備の改修作業に際しては、正しく改修作業が実施されたか否かを電気的に検査し、検査結果を報告書にまとめて提出することが行われている。具体的には、作業対象の設置現場に測定装置を携行して改修作業後の作業対象における各部の電圧値や抵抗値などを測定し、その測定値を記入した報告書を設置現場から持ち帰って提出したり、設置現場において測定値を記入した紙片（メモ用紙等）を持ち帰ってパーソナルコンピュータ等を使用して報告書を作成して提出したりすることが行われている。しかしながら、設置現場において報告書を作成する場合には、机や椅子等が存在しない現場において綺麗な文字で測定値を記入するのが困難であるため、報告書を見た者に測定値を正しく認識させるのが困難となることがある。また、測定値を記入した紙片を持ち帰ってパーソナルコンピュータ等を使用して報告書を作成する場合においても、現場において綺麗な文字で測定値を紙片に記入するのが困難であるため、持ち帰った紙片に記入されている測定値を誤認して誤った測定値を入力した報告書を作成するおそれがある。
【０００３】
一方、上記のような課題を解決すべく、下記の特許文献には、パーソナルコンピュータと検査装置とを備えて構成された電気設備の検査判定装置（以下、単に「検査判定装置」ともいう）の発明が開示されている。この検査判定装置では、パーソナルコンピュータにおいて作成したチェックシートを検査装置に送信し、検査装置においてチェックシートを利用した測定作業を実行して測定値のデータ（以下、「測定値データ」ともいう）を生成し、生成した測定データを検査装置からパーソナルコンピュータに送信してチェックシートに測定値を入力することで報告書を作成することができるように構成されている。
【０００４】
具体的には、まず、パーソナルコンピュータにインストールした専用のアプリケーションプログラム（以下、単に「プログラム」ともいう）を使用してチェックシート（測定値が未入力の報告書のフォーム）を作成する。次いで、パーソナルコンピュータに検査装置を接続してパーソナルコンピュータから検査装置にチェックシートを送信する。続いて、検査対象の設置現場において検査装置を使用して測定作業を実行する。この際には、検査装置の表示部に表示される指示に従い、チェックシートにおいて規定されている各測定ポイントについての測定作業を順次実行する。これにより、検査装置において各測定ポイントについての測定値が記録された測定値データが生成される。
【０００５】
次いで、検査装置を設置現場から持ち帰ってパーソナルコンピュータに接続し、検査装置からパーソナルコンピュータに測定値データを送信する。続いて、パーソナルコンピュータを操作して、検査装置から送信された測定値データに記録されている各測定値を専用のプログラムによってチェックシートの対応する測定値入力欄に入力させる。これにより、各測定値入力欄に測定値が入力されたチェックシートが生成される。この後、生成されたチェックシートを印刷することにより、検査対象の良否を確認可能な報告書が完成する。
【先行技術文献】
【特許文献】
【０００６】
【特許文献１】特開２００６−２００８９７号公報（第７−１１頁、第１−１１図）
【発明の概要】
【発明が解決しようとする課題】
【０００７】
ところが、上記特許文献に開示されている検査判定装置には、以下のような解決すべき問題点が存在する。
【０００８】
具体的には、上記特許文献に開示の検査判定装置では、検査装置において生成された測定値データを検査装置からパーソナルコンピュータに送信して、パーソナルコンピュータにおいて測定値データに記録されている測定値を専用のプログラムを使用してチェックシートの各測定値入力欄に入力させることにより、各測定値入力欄に測定値が入力されたチェックシートが生成される構成が採用されている。
【０００９】
したがって、上記特許文献に開示の検査判定装置では、報告書を作成するために専用のプログラムが必須であり、この専用のプログラムの製作コストの分だけ、検査判定装置の製造コストが高騰しているという問題点がある。また、専用のプログラムがインストールされていないパーソナルコンピュータでは、チェックシートの作成や、測定値データに記録されている測定値を測定値入力欄に入力する処理を行うことができないため、検査判定装置の利便性が損なわれているという問題点もある。
【００１０】
一方、この種の装置を使用して作成する報告書のなかには、例えば、「対象１」についての測定値、「対象２」についての測定値、および「対象３」についての測定値の３つの測定値をそれぞれ入力する３つの測定値入力欄が設けられた様式のものが存在する。このような様式の報告書を上記特許文献に開示の検査判定装置によって作成する際には、パーソナルコンピュータにおいて３つの測定値入力欄を設けたチェックシートを作成して検査装置に送信し、検査装置において「対象１」から「対象３」まで測定処理を順次実行した後に、検査装置において生成された測定値データをパーソナルコンピュータに送信する。これにより、測定値データに記録されている３つの測定値が、「対象１」についての測定値入力欄、「対象２」についての測定値入力欄、および「対象３」についての測定値入力欄にそれぞれ入力される。
【００１１】
この場合、上記のような報告書の作成に際しては、例えば、「対象１」および「対象２」についての測定処理と、「対象３」についての測定処理とを複数の検査装置を使用して並行して実行したいときがある。この際に、「対象１」および「対象２」についての測定処理を一つ目の検査装置で実行し、かつ「対象３」についての測定処理を二つ目の検査装置で実行した場合、一つ目の検査装置からパーソナルコンピュータに測定値データを送信したときには、「対象１」についての測定値が「対象１」についての測定値入力欄に入力され、かつ「対象２」についての測定値が「対象２」についての測定値入力欄に入力されるものの、二つ目の検査装置からパーソナルコンピュータに測定値データを送信したときには、「対象３」についての測定値が「対象３」についての測定値入力欄に入力されずに「対象１」についての測定値入力欄に入力されてしまう。
【００１２】
このように、上記特許文献に開示の検査判定装置では、チェックシートの作成時に規定した測定順序で測定処理が実行されることで各測定値入力欄に対応する測定値を入力することができるように構成されているため、規定した順序とは相違する順序で測定処理を実行するときには、チェックシートにおける測定順序を変更したり、所望の測定順序で測定処理を実行するよう規定した新たなチェックシートを作成したりする必要が生じる。したがって、この点においても、検査判定装置の利便性が損なわれているという問題点がある。
【００１３】
本発明は、かかる問題点に鑑みてなされたものであり、製造コストの低減、および利便性の向上を図り得る測定装置および測定システムを提供することを主目的とする。
【課題を解決するための手段】
【００１４】
上記目的を達成すべく、請求項１記載の測定装置は、測定部と、当該測定部によって測定された測定値に基づいて測定値データを生成する処理部と、キーボードとして認識されるように外部装置に対して接続可能に構成されると共に前記処理部の制御に従ってキーボード操作時出力信号を当該外部装置に送信可能に構成された通信部とを備え、前記処理部は、予め規定された第１の条件が満たされたときに、前記測定値データの前記測定値を前記キーボード操作時出力信号に変換して前記通信部から前記外部装置に送信して当該外部装置の測定値入力画面における測定値入力欄に当該測定値を入力する測定値入力処理を実行可能に構成されると共に、前記測定値入力画面内に前記測定値入力欄が複数存在するときに、前記測定値入力処理において、前記測定値を入力すべき当該測定値入力欄の当該測定値入力画面内における位置に応じて、当該測定値を入力すべき測定値入力欄を指定するキー操作に対応する前記キーボード操作時出力信号を、当該測定値を変換した前記キーボード操作時出力信号に先立って前記通信部から前記外部装置に送信する。なお、「キーボードとして認識されるように外部装置に対して接続可能に構成された通信部」とは、「外部装置が［通信部の搭載機器（測定装置）］を［キーボード］として認識するような接続態様で外部装置に対して接続可能な構成の通信部」を意味する。
【００１５】
請求項２記載の測定装置は、請求項１記載の測定装置において、前記処理部は、前記測定値入力処理において、前記測定値データの前記測定値を構成している記号のなかに１つのキーのキー操作によって入力できない第１の記号が存在するときに、当該第１の記号に対応して予め規定された第１の文字列を入力するキー操作に対応する前記キーボード操作時出力信号を当該第１の記号に対応する当該キーボード操作時出力信号として送信する。
【００１６】
請求項３記載の測定装置は、請求項１または２記載の測定装置において、前記処理部は、前記測定値入力処理において、予め規定された第２の条件が満たされたときに、前記測定値データの前記測定値を補助単位を含めた指数表記形式に変換し、変換後の当該測定値を前記キーボード操作時出力信号に変換して送信する。
【００１７】
請求項４記載の測定装置は、請求項１から３のいずれかに記載の測定装置において、前記処理部は、前記測定値入力処理において、予め規定された第３の条件が満たされたときに、前記測定値データの前記測定値における補助単位を予め規定された変更手順に従って変更し、変換後の当該測定値を前記キーボード操作時出力信号に変換して送信する。
【００１８】
請求項５記載の測定システムは、請求項１から４のいずれかに記載の測定装置と、前記外部装置としての情報処理端末とを備えている。
【発明の効果】
【００１９】
請求項１記載の測定装置では、キーボードとして認識されるように外部装置に対して接続可能に構成されてキーボード操作時出力信号を外部装置に送信可能に構成された通信部を備えると共に、処理部が、予め規定された第１の条件が満たされたときに、測定値データの測定値をキーボード操作時出力信号に変換して通信部から外部装置に送信して外部装置の測定値入力画面における測定値入力欄に測定値を入力する測定値入力処理を実行可能に構成されると共に、測定値入力画面内に測定値入力欄が複数存在するときに、測定値入力処理において、測定値を入力すべき測定値入力欄の測定値入力画面内における位置に応じて、測定値を入力すべき測定値入力欄を指定するキー操作に対応するキーボード操作時出力信号を、測定値を変換したキーボード操作時出力信号に先立って通信部から外部装置に送信する。また、請求項５記載の測定システムは、上記の測定装置、および外部装置としての情報処理端末を備えている。
【００２０】
したがって、請求項１記載の測定装置、および請求項５記載の測定システムによれば、測定装置から外部装置（情報処理端末）にキーボード操作時出力信号によって測定値が送信されることで、一般的な外部装置（情報処理端末）において表示画面に表示させることが可能な測定値入力画面の測定値入力欄に測定値が直接入力されるため、測定装置から送信される測定値データの測定値を測定値入力欄に入力させる専用のプログラムを用意することなく、測定装置によって測定された測定値のデータを外部装置（情報処理端末）において確実かつ容易に取得することができる。これにより、専用のプログラムが不要となる分だけ、測定システムの製造コストを低減することができると共に、測定値入力画面を表示させることが可能な極く一般的な外部装置（情報処理端末）によって測定装置から測定値データを取得できるため、その利便性を十分に向上させることができる。また、測定値を入力すべき測定値入力欄を指定するキー操作に対応するキーボード操作時出力信号が測定装置から送信されることで、各測定値入力欄に対する測定値の入力順序等を変更したり、所望の入力順序で各測定値入力欄に測定値が入力される新たな測定値入力画面用のデータを作成したりすることなく、測定値入力画面における複数の測定値入力欄のうちの任意の測定値入力欄に測定値を確実かつ容易に入力させることができる。これにより、この測定装置および測定システムによれば、その利便性を一層向上させることができる。
【００２１】
請求項２記載の測定装置では、処理部が、測定値入力処理において、測定値データの測定値を構成している記号のなかに１つのキーのキー操作によって入力できない第１の記号が存在するときに、第１の記号に対応して予め規定された第１の文字列を入力するキー操作に対応するキーボード操作時出力信号を第１の記号に対応するキーボード操作時出力信号として送信する。したがって、請求項２記載の測定装置、およびそのような測定装置を備えた測定システムによれば、１つのキーのキー操作によって入力できない第１の記号が存在する測定値についても、確実かつ容易に測定値入力欄に入力させることができる。これにより、この測定装置および測定システムによれば、その利便性を一層向上させることができる。
【００２２】
請求項３記載の測定装置では、処理部が、測定値入力処理において、予め規定された第２の条件が満たされたときに、測定値データの測定値を補助単位を含めた指数表記形式に変換し、変換後の測定値をキーボード操作時出力信号に変換して送信する。したがって、請求項３記載の測定装置、およびそのような測定装置を備えた測定システムによれば、測定装置において補助単位が相違する複数の測定値が測定されたときに、測定装置に測定値入力処理を実行させるだけで、補助単位を含めた指数表記形式に変換された測定値が外部装置（情報処理端末）に送信される。これにより、この測定装置および測定システムによれば、外部装置（情報処理端末）において測定値の補助単位を揃える処理を行うことなく、測定装置において測定された時点における補助単位の相違を考慮せずに、各測定値を容易に比較することができるため、その利便性を一層向上させることができる。
【００２３】
請求項４記載の測定装置では、処理部が、測定値入力処理において、予め規定された第３の条件が満たされたときに、測定値データの測定値における補助単位を予め規定された変更手順に従って変更し、変換後の測定値をキーボード操作時出力信号に変換して送信する。したがって、請求項４記載の測定装置、およびそのような測定装置を備えた測定システムによれば、外部装置（情報処理端末）において補助単位を変更する作業を行うことなく、測定装置に測定値入力処理を実行させるだけで、所望の補助単位に変更された測定値を測定値入力欄に入力させることができる。これにより、この測定装置および測定システムによれば、その利便性を一層向上させることができる。
【図面の簡単な説明】
【００２４】
【図１】測定システム１００の構成を示す構成図である。
【図２】スプレッドシートＳＳの一例について説明するための説明図である。
【図３】報告書様式ＲＦの一例について説明するための説明図である。
【発明を実施するための形態】
【００２５】
以下、本発明に係る測定装置および測定システムの実施の形態について、添付図面を参照して説明する。
【００２６】
図１に示す測定システム１００は、「測定システム」の一例であって、測定装置１および携帯情報端末２を備えて構成されている。
【００２７】
測定装置１は、「測定装置」の一例であって、測定部１１、通信部１２、操作部１３、表示部１４、処理部１５および記憶部１６を備え、測定対象についての電圧値、電流値および抵抗値などの各種の電気的パラメータを測定することができるように構成されている。測定部１１は、処理部１５の制御に従い、電圧値、電流値および抵抗値などの測定値のうちから指定された１つを測定して測定値Ｄ０を処理部１５に出力する。
【００２８】
通信部１２は、一例として、ブルートゥース（Bluetooth：登録商標）規格に準じた近距離無線通信が可能な通信アダプタで構成されて、処理部１５の制御下で携帯情報端末２などのBluetooth対応機器に接続して各種のデータを送受信する。この場合、本例の通信部１２では、「Serial Port Profile（以下、「ＳＰＰ」ともいう）」に従って各種のデータを送受信する動作モードに加え、Bluetooth対応機器に対して「Bluetooth Low Energy（以下、「ＢＬＥ」ともいう）」モードで接続して（「キーボードとして認識されるように外部装置に対して接続可能に構成される」との構成の一例）「Human Interface Device Profile（以下、「ＨＩＤ」ともいう）」に従って「キーボード操作時出力信号」を送信する動作モードでの動作が可能に構成されている。
【００２９】
操作部１３は、測定装置１の動作条件（測定条件）の入力操作、測定処理の開始／停止を指示する操作、および後述するように測定装置１から携帯情報端末２への測定値データＤ１ａや測定値データＤ２の送信を指示する操作などの各種の操作が可能な操作スイッチを備え、スイッチ操作に応じた操作信号を処理部１５に出力する。表示部１４は、処理部１５の制御に従い、動作条件設定画面や測定結果表示画面等の各種の表示画面（図示せず）を表示する。
【００３０】
処理部１５は、測定装置１を総括的に制御する。具体的には、処理部１５は、測定部１１を制御して測定処理を実行させると共に、測定値Ｄ０に基づいて測定値データＤ１を生成して記憶部１６に記憶させる（測定値Ｄ０を測定値データＤ１として記憶部１６に一時的に記録する処理）。また、処理部１５は、測定値データＤ１として記録した測定値Ｄ０を表示部１４（測定結果表示画面）に表示させると共に、外部装置に対するＳＰＰでのデータ出力や、測定結果の測定装置１内への保存を指示されているときには、測定値データＤ１に対応させて、送信・保存用の測定値データＤ１ａを生成して記憶部１６に記憶させる。
【００３１】
また、処理部１５は、予め規定された「第１のデータ送信条件」が満たされたときに、通信部１２からＳＰＰに従って携帯情報端末２などに測定値データＤ１ａを送信させる。さらに、処理部１５は、予め規定された「第２のデータ送信条件（「第１の条件」の一例）」が満たされたときに、測定値データＤ１ａ（または、測定値データＤ１）として記録されている測定値を「キーボード操作時出力信号」に変換して通信部１２からＨＩＤに従って携帯情報端末２などに測定値データＤ２として送信させる。
【００３２】
この場合、上記の「第１のデータ送信条件」や「第２のデータ送信条件」としては、データの送信開始を指示する操作が行われたとき、データの送信を開始するように設定された時刻が到来したとき、測定値データＤ１を記憶部１６に記憶させたとき、および測定値データＤ１の測定値Ｄ０がトリガ条件を満たす値であったとき、などの条件のうちから任意の条件が動作条件として予め選択（設定）される。なお、測定値データＤ１ａや測定値データＤ２の送信処理については、後に具体的な例を挙げて詳細に説明する。
【００３３】
記憶部１６は、処理部１５の動作プログラムや演算結果、および測定値データＤ１，Ｄ１ａなどを記憶する。なお、記憶部１６には、処理部１５の演算結果や、測定部１１から出力される測定値Ｄ０を測定値データＤ１として一時的に記憶させる記憶領域と、処理部１５の動作プログラムや、保存・送信用の測定値データＤ１ａを継続的に記憶させる記憶領域とが設けられているが、これらの記憶領域を区別せずに説明する。
【００３４】
一方、携帯情報端末２は、「外部装置」としての「情報処理端末」に相当し、スマートフォン、タブレット端末および携帯型のパーソナルコンピュータなどで構成されている。この場合、本例の測定システム１００では、一例として、通信部２１，２２、操作部２３、表示部２４、処理部２５および記憶部２６を備えると共に、汎用のスプレッドシートアプリケーションプログラム（以下、単に「スプレッドシートアプリ」ともいう）がインストールされたタブレット端末で携帯情報端末２が構成されているものとする。なお、実際の携帯情報端末２は、上記の各構成要素２１〜２６の他に、「タブレット端末」としての機能を実現するための各種の構成要素を備えているが、本願発明についての理解を容易とするために、それらの構成要素についての図示および説明を省略する。
【００３５】
通信部２１は、一例として、無線ＬＡＮ通信アダプタで構成され、処理部２５の制御に従って通信ネットワークを介して各種の情報処理端末に接続して前述の測定値データＤ１ａや後述の測定値データＤ３などの各種のデータを送受信する。通信部２２は、前述した測定装置１の通信部１２と同様にブルートゥース（Bluetooth：登録商標）規格に準じた近距離無線通信が可能な通信アダプタで構成されて、処理部２５の制御下で測定装置１などのBluetooth対応機器に接続して各種のデータを送受信する。この場合、本例の通信部２２では、前述の通信部１２と同様にして、ＳＰＰに従って各種のデータを送受信する動作モードに加え、Bluetooth対応機器をＢＬＥモードで接続させてＨＩＤに従って「キーボード操作時出力信号」を送信させる動作モードでの動作が可能に構成されている。
【００３６】
操作部２３は、一例として、表示部２４の前面側に配設されたタッチパネルや、携帯情報端末２を「タブレット端末」としての機能させるための各種の操作スイッチを備え、操作に応じた操作信号を処理部２５に出力する。表示部２４は、一例として液晶表示パネルを備え、処理部２５の制御に従い、図示しない測定結果表示画面などの各種の表示画面を表示する。
【００３７】
処理部２５は、携帯情報端末２を総括的に制御する。具体的には、処理部２５は、測定装置１から送信された測定値データＤ１ａを記憶部２６に記憶させると共に、測定値データＤ１ａに記録されている測定値を表示部２４に表示させる。また、処理部２５は、後述するようにスプレッドシートアプリが起動されている状態において測定装置１から測定値データＤ２が送信されたときに、測定値データＤ２として送信される「キーボード操作時出力信号」に従い、図２に示すスプレッドシートＳＳにおけるセルＣＡ１，ＣＡ２・・，ＣＢ１，ＣＢ２・・（以下、各セルを区別しないときには「セルＣ」ともいう）のうちの指定されたセルＣに測定値を入力して測定値データＤ３を生成し、生成した測定値データＤ３を記憶部２６に記憶させる。
【００３８】
さらに、処理部２５は、予め規定された「第３のデータ送信条件」が満たされたときに、測定値データＤ１ａおよび／または測定値データＤ３を記憶部２６から読み出すと共に、読み出した測定値データＤ１ａおよび／または測定値データＤ３を通信部２１から外部の情報処理端末に送信させる。この場合、上記の「第３のデータ送信条件」としては、データの送信開始を指示する操作が行われたとき、データの送信を開始するように設定された時刻が到来したとき、測定値データＤ１ａの記憶が完了したとき、および測定値データＤ２の生成（記憶部２６への記憶）が完了したときなどの条件のうちから任意の条件が選択される。なお、測定値データＤ３の生成処理や、測定値データＤ１ａおよび／または測定値データＤ３の送信処理については、後に具体的な例を挙げて詳細に説明する。記憶部２６は、処理部２５の演算結果や測定値データＤ１ａ，Ｄ３などを記憶する。
【００３９】
次に、測定システム１００を用いた報告書の作成作業について、添付図面を参照して説明する。
【００４０】
なお、測定装置１の通信部１２と携帯情報端末２の通信部２２との間におけるブルートゥースのペアリングなどについては既に完了しているものとし、このペアリングの作業についての説明を省略する。また、本例の測定システム１００では、使用者が作成した報告書の様式や、第三者が作成した報告書の様式に測定装置１による測定処理の測定値を入力して携帯情報端末２において測定値データＤ３を生成することもできるが、「測定装置」および「測定システム」の構成についての理解を容易とするために、一例として、図２に示すスプレッドシートＳＳにおける任意のセルＣに測定値を入力して測定値データＤ３（スプレッドシートデータ）を生成する例について説明する。
【００４１】
まず、測定装置１の操作部１３を操作して測定処理や、測定値データＤ１ａおよび／または測定値データＤ２の送信処理についての動作条件を設定する。この場合、測定処理についての動作条件としては、「測定する電気的パラメータの種類（電圧値（直流、交流、直流＋交流）、電流値（直流、交流）、および抵抗値など）」、「測定レンジ（任意のレンジ、オートレンジなど）」、「測定周期（測定値Ｄ０を出力する周期）」、および「測定開始／終了の条件」などをそれぞれ設定する。また、測定値データＤ１ａの送信処理についての動作条件としては、一例として、「送信開始条件（手動、設定時刻、常時）」を設定する。さらに、測定値データＤ２の送信処理についての動作条件としては、一例として、「単位（「Ｖ」、「Ａ」、「Ω」などの「物理単位」、および「ｍ」「ｋ」、「Ｍ」などの補助単位）を測定値の数値と共に送信するか否か」、「測定値を指数表記に変換するか否か、および変換する際の小数点以下の桁数」、「送信する各測定値をスプレッドシートＳＳのいずれのセルＣから入力するか」、および「送信開始条件（手動、設定時刻、常時）」などをそれぞれ設定する。
【００４２】
この際には、測定処理についての動作条件の一例として、「測定する電気的パラメータの種類：電流値（直流）」、「測定レンジ：オートレンジ」、「測定周期：１秒」、および「測定開始：スタートスイッチの操作／測定終了：１０回の測定終了時」との条件をそれぞれ設定する。また、測定値データＤ１ａの送信処理についての動作条件の一例として、「手動で送信開始」との条件を設定する。さらに、測定値データＤ２の送信処理についての動作条件の一例として、「単位（物理単位および補助単位）を測定値の数値と共に送信する」、「測定値を指数表記に変換しない」、「送信する各測定値をスプレッドシートＳＳにおけるセルＣＢ３から入力する」、および「手動で送信開始」との条件をそれぞれ設定する。
【００４３】
次いで、測定部１１を測定対象に接続した後に、操作部１３を操作して測定処理を開始させる。この際に、処理部１５は、操作部１３から出力された操作信号に応じて、上記のように設定された動作条件に従って測定部１１に測定処理を実行させる。これにより、一例として、「123.456789mA」、「 23.456789mA」、「  3.456789mA」・・との測定値Ｄ０，Ｄ０・・が測定部１１から１秒間隔で出力される。また、処理部１５は、測定部１１から測定値Ｄ０が出力される都度、その測定値Ｄ０を測定値データＤ１として記憶部１６に記憶させる（「測定部によって測定された測定値に基づいて測定値データを生成する」との処理の一例）。また、測定値データＤ１ａを手動で送信開始するとの動作条件が設定されている本例において、処理部１５は、一例として、１つの測定値データＤ１の生成（記憶部１６への記憶）が完了する都度、その測定値データＤ１に対応させて、を外部装置に送信可能な測定値データＤ１ａを生成して記憶部１６に記憶（保存）させる。この後、１０個目の測定値Ｄ０が測定部１１から出力されて測定値データＤ１，Ｄ１ａが記憶部１６に記憶されたときに、設定した動作条件での一連の測定処理が完了する。
【００４４】
一方、測定装置１による上記の測定処理の測定結果（各測定値）を携帯情報端末２に送信する際に、本例の測定システム１００（測定装置１）では、以下の２通りの送信方法のうちから任意の方法を選択して実行することが可能となっている。
【００４５】
一つ目の送信方法としては、測定装置１の通信部１２と携帯情報端末２の通信部２２とを接続させた状態においてＳＰＰに従って測定装置１から携帯情報端末２に測定値データＤ１ａを送信することができる。この際には、操作部１３の操作によってＳＰＰでのデータ送信の開始を指示されたときに、処理部１５が、前述の「第１のデータ送信条件」が満たされたとして通信部１２から携帯情報端末２（通信部２２）に測定値データＤ１ａを送信する。なお、測定装置１から携帯情報端末２へのＳＰＰでの各種データの送受信についてはこの種の測定装置や測定システムにおいても一般的に行われているデータ送信方法と同様のため、詳細な説明を省略する。この場合、測定装置１から携帯情報端末２に送信した測定値データＤ１ａについては、一例として、通信部２１から通信ネットワークを介して任意の情報処理端末（データサーバやパーソナルコンピュータなど）に送信することで、送信先の情報処理端末において、測定値データＤ１ａに記録されている各測定値の表示・印刷や分析などを行うことができる。
【００４６】
また、二つ目の送信方法としては、携帯情報端末２において起動されているスプレッドシートアプリのスプレッドシートＳＳにおける任意のセルＣ（「外部装置の測定値入力画面における測定値入力欄」の一例：図２参照）に対して、測定装置１によって測定値データＤ１ａに記録されている測定値を直接入力することで（「測定値入力処理」の一例）、測定値データＤ１ａの内容と同様の測定値データＤ２を測定装置１から携帯情報端末２に送信することができる。具体的には、まず、携帯情報端末２の通信部２２に対して測定装置１の通信部１２をＢＬＥモードで接続させ、携帯情報端末２に対して測定装置１をキーボードとして認識させる。また、携帯情報端末２の操作部２３を操作してスプレッドシートアプリを起動させ、新規のスプレッドシートＳＳを表示部２４に表示させる。この際に、表示部２４に表示されたスプレッドシートＳＳでは、セルＣＡ１に入力カーソルが位置した状態となっている（図示せず）。
【００４７】
続いて、測定装置１の操作部１３を操作して、ＨＩＤでのデータ送信（測定値データＤ２の送信）の開始を指示する。この際に、処理部１５は、前述の「第２のデータ送信条件（「第１の条件」の一例）」が満たされたと判別し、予め設定された送信処理についての動作条件に従い、測定値データＤ１ａに記録されている「123.456789mA」、「 23.456789mA」、「  3.456789mA」・・との測定値をＣＳＶ形式で記録する。続いて、処理部１５は、ＣＳＶ形式で記録されている各測定値を「キーボード操作時出力信号」によって携帯情報端末２に送信することで、携帯情報端末２のスプレッドシートＳＳにおけるセルＣに測定値を入力する。
【００４８】
この際に、本例では、「送信する各測定値をスプレッドシートＳＳにおけるセルＣＢ３から入力する」との動作条件が設定されている。したがって、処理部１５は、前述のように、携帯情報端末２においてスプレッドシートＳＳのセルＣＡ１に位置させられている入力カーソルをセルＣＢ３に移動させるキー操作（「測定値を入力すべき測定値入力欄を指定するキー操作」の一例）に対応する「キーボード操作時出力信号」を、各測定値の入力操作に対応する「キーボード操作時出力信号」に先立って送信させる。具体的には、処理部１５は、「CR（Carriage Return）」「CR」「TAB」「1」「2」「3」「.」「4」「5」「6」「7」「8」「9」「TAB」「m」「A」「CRLF（Carriage Return Line Feed)」「TAB」「2」「3」「.」「4」「5」「6」「7」「8」「9」「TAB」「m」「A」「CRLF」「TAB」「3」「.」「4」「5」「6」「7」「8」「9」「TAB」「m」「A」「CRLF」・・の順でキーボードを操作したときに出力される「キーボード操作時出力信号」を通信部１２から携帯情報端末２（通信部２２）に送信する。
【００４９】
これにより、携帯情報端末２では、スプレッドシートＳＳのセルＣＡ１に位置している入力カーソルが、「CR」「CR」「TAB」とのキー操作に対応してセルＣＢ３に移動させられ、「1」「2」「3」「.」「4」「5」「6」「7」「8」「9」「TAB」とのキー操作に対応して「123.456789」との数値がセルＣＢ３に入力され、「m」「A」「CRLF」とのキー操作に対応して「mA」との文字（測定値の単位）がセルＣＣ３に入力された後に入力カーソルがセルＣＡ４に移動させられ、「TAB」とのキー操作に対応して入力カーソルがセルＣＢ４に移動させられ、「2」「3」「.」「4」「5」「6」「7」「8」「9」「TAB」とのキー操作に対応して「23.456789」との数値がセルＣＢ４に入力され、「m」「A」「CRLF」とのキー操作に対応して「mA」との文字がセルＣＣ４に入力された後に入力カーソルがセルＣＡ５に移動させられ、「TAB」とのキー操作に対応して入力カーソルがセルＣＢ５に移動させられ、「3」「.」「4」「5」「6」「7」「8」「9」「TAB」とのキー操作に対応して「3.456789」との数値がセルＣＢ５に入力され、「m」「A」「CRLF」とのキー操作に対応して「mA」との文字がセルＣＣ５に入力された後に入力カーソルがセルＣＡ６に移動させられる。なお、入力カーソルがセルＣＡ６に移動させられた時点以降の動作については、入力される文字が相違する点を除き、入力カーソルがセルＣＡ５に移動させられた時点以降の動作と同様のため、詳細な説明を省略する。
【００５０】
以上により、測定値データＤ１ａに記録されている各測定値の「キーボード操作時出力信号」による送信（携帯情報端末２のスプレッドシートＳＳにおける各セルＣへの測定値の入力：測定装置１から携帯情報端末２への測定値データＤ２の送信）が完了する。なお、上記の例とは相違するが、「送信処理についての動作条件」の設定に際して「単位を送信しない」との条件が設定されていたときに、処理部１５は、測定値における「数値」の後の「TAB」、および単位を示す「m」「A」の３つのキー操作に対応する「キー操作時出力信号」を送信しない。これにより、測定値における「数値」だけがスプレッドシートＳＳにおけるＢ列のセルＣに入力される（「数値」だけが測定値データＤ２として送信される）。この後、携帯情報端末２の操作部２３を操作してスプレッドシートＳＳを保存することにより、測定値データＤ１ａに記録されている各測定値が入力されたスプレッドシートＳＳの測定値データＤ３が記憶部２６に記憶される。
【００５１】
一方、携帯情報端末２において生成された測定値データＤ３（スプレッドシートＳＳのデータ）については、一例として、通信部２１から通信ネットワークを介して任意の情報処理端末（データサーバやパーソナルコンピュータなど）に送信することで、送信先の情報処理端末において、測定値データＤ３に記録されている各測定値の表示や印刷（報告書の作成）、および測定値の分析などを行うことができる。この場合、上記のように測定装置１によって測定された測定値についての分析に際しては、測定値の和や差を求めたり、予め規定された係数を測定値に乗除算して任意の値を求めたりすることが行われる。したがって、特殊な書式の「測定値データ」が提供されるよりも、測定値データＤ３（スプレッドシートＳＳのデータ）が提供されることで、分析作業を迅速かつ容易に実行することができる。
【００５２】
なお、上記の例とは相違するが、この種の「測定装置（測定システム）」において取り扱う「測定値」のなかには、「１つのキーのキー操作によって入力できない記号」が含まれたものも存在する。具体的には、一例として、「Ω」「°」「℃」「°Ｆ」「ε」および「m2」などの記号（「第１の記号」の一例）を含む測定値がこれに該当する。
【００５３】
このような測定値が存在するときに、本例の測定装置１（測定システム１００）では、携帯情報端末２に対して測定値データＤ２を送信する（スプレッドシートＳＳのセルＣなどに測定値を入力する「測定値入力処理」を実行する）ときに、処理部１５が、上記の「第１の記号」を「予め規定された第１の文字列」を入力するキー操作に対応する「キーボード操作時出力信号」に置き換えて送信する。具体的には、上記の例の「Ω」「°」「℃」「°Ｆ」「ε」および「m2」については、「_Ohm」「_degree」「_degree C」「_degree F」「_e」および「m^2」との文字列を入力するキー操作に対応する「キーボード操作時出力信号」に置き換えて送信する。これにより、「１つのキーのキー操作によって入力できない記号」と同様の意味を持つ情報を測定装置１から携帯情報端末２に送信してセルＣに入力することができる。
【００５４】
なお、変換後の文字列における「_」は、測定装置１において測定値データＤ１ａに記録されている測定値（上記の例では、「単位」）を示す文字列を変換処理したことを示す記号の一例であり、携帯情報端末２などにおいて測定値データＤ３（スプレッドシートＳＳのデータ）を参照したときに「_」が付与されていれば、測定装置１において測定値（単位）を示す文字列が変換処理されていることを確実かつ容易に認識することができる。したがって、変換後の文字列の先頭に「_」を付与する構成に代えて、「_」以外の任意の記号を付与したり、文字列の最後尾に任意の記号を付与したりすることもできる。また、変換処理されたことの認識が不要であれば、上記の例における「_」などの記号を不要しない構成を採用することもできる。
【００５５】
また、上記の例とは相違するが、測定値データＤ２の送信処理についての動作条件として、「測定値を指数表記に変換しない」との条件に代えて、「測定値を指数表記（補助単位を含む）に変換する」との条件が設定されたときには、一例として、測定値データＤ２の送信を指示されたときに、測定値データＤ１ａに記録されている測定値を補助単位を含めた指数表記に変換する。一例として「1.234mA」、「23.456A」、「345.678kA」、「4.5678MA」・・との測定値を、「1.234E-03A」、「23.456E+00A」、「345.678E+03A」、「4.5678E+06A」・・との指数表記に変換する。なお、この例では、「ＨＩＤでのデータ送信の開始を指示されたとき」が「予め規定された第２の条件が満たされたとき」に相当する。このような構成に代えて、例えば、「測定値データＤ１ａの生成が完了したとき」や、「変換処理を開始する操作が行われたとき」に「第２の条件」が満たされたとして、上記のように指数表記に変換する処理を実行する構成を採用することもできる。
【００５６】
次いで、変換後の測定値をＣＳＶ形式で記録する。この後、指数表記形式に変換しなかった前述の例と同様にして、ＣＳＶ形式で記録されている各測定値（指数表記に変換された測定値）を「キーボード操作時出力信号」によって携帯情報端末２に送信することで、携帯情報端末２のスプレッドシートＳＳにおけるセルＣに測定値を入力する。これにより、スプレッドシートＳＳにおける任意のセルＣに「1.234mA」、「23.456A」、「345.678kA」、「4.5678MA」・・との測定値が入力された測定値データＤ３が携帯情報端末２において生成される。
【００５７】
また、本例の測定装置１（測定システム１００）では、「予め規定された第３の条件」が満たされたとき（例えば、携帯情報端末２に対する測定値データＤ２の送信を指示されたとき）ときに、測定値データＤ１ａに記録されている測定値の補助単位を「予め規定された変更手順」に従って変更し、変換後の測定値を「キーボード操作時出力信号」に変換して送信することができるように構成されている。この場合、「測定値の補助単位を予め規定された変更手順に従って変更する」との処理は、例えば、「1234mV」との測定値を「1.234V」との測定値に変換する処理や、例えば、「9.876A」との測定値を「9876mA」との測定値に変換する処理である。このような「補助単位」の変換を希望するときには、測定装置１における「送信処理についての動作条件」の設定に際して、希望する変更手順を設定すればよい。
【００５８】
また、携帯情報端末２において起動されているスプレッドシートアプリのスプレッドシートＳＳにおける任意のセルＣに測定値を入力する例について説明したが、スプレッドシートＳＳに代えて、図３に示す報告書様式ＲＦにおけるセルＣ１ａ，Ｃ１ｂ，Ｃ２ａ，Ｃ２ｂ・・（以下、単に「セルＣ」ともいう）に測定値を入力させることもできる。
【００５９】
この場合、同図に示す報告書様式ＲＦの例において、「点検箇所１の電圧値についての測定処理」、「点検箇所１の抵抗値についての測定処理」、「点検箇所２の電圧値についての測定処理」、「点検箇所２の抵抗値についての測定処理」・・のように、セルＣ１ａに入力されるべき測定値についての測定処理から順に各測定処理を実行したときには、「,」の「キーボード操作時出力信号」を挟んで、「点検箇所１の電圧値に対応するキーボード操作時出力信号」、「点検箇所１の抵抗値に対応するキーボード操作時出力信号」、「点検箇所２の電圧値に対応するキーボード操作時出力信号」、「点検箇所２の抵抗値に対応するキーボード操作時出力信号」・・を測定装置１から携帯情報端末２に送信することで、報告書様式ＲＦの各セルＣに、対応する各測定値をそれぞれ入力する（測定装置１から携帯情報端末２に測定値データＤ２を送信する）ことができる。
【００６０】
また、一例として、「点検箇所１」〜「点検箇所４」までの測定処理を実行せずに、「点検箇所５の電圧値についての測定処理」および「点検箇所５の抵抗値についての測定処理」だけを実行し、得られた測定値を報告書様式ＲＦにおけるセルＣ５ａ，Ｃ５ｂに入力する（「点検箇所５」についての測定値の測定値データＤ２を送信する）ときには、その測定値がセルＣ１ａ，Ｃ１ｂに入力されることがないように、「点検箇所５の電圧値に対応するキーボード操作時出力信号」および「点検箇所５の抵抗値に対応するキーボード操作時出力信号」の送信に先立ち、８つの「CR」、または８つの「TAB」のキー操作に対応する「キーボード操作時出力信号（「測定値を入力すべき測定値入力欄を指定するキー操作に対応するキーボード操作時出力信号」の他の一例）」を送信する。これにより、セルＣ１ａに位置させられていた入力カーソルがセルＣ５ａに移動させられた後に、送信される「キーボード操作時出力信号」に対応する測定値が入力される。
【００６１】
また、携帯情報端末２にスプレッドシートアプリがインストールされておらず、かつ、上記の報告書様式ＲＦのような様式のデータも存在していないときには、一例として、携帯情報端末２において、メモ帳アプリケーションやテキストエディタなど（文字列の入力、および入力された文字列のデータ保存が可能なアプリケーション）を起動した状態で、測定装置１から携帯情報端末２に測定値データＤ２を送信させることもできる。このような使用例においても、測定装置１から携帯情報端末２に「キー操作時出力信号」によって測定値データＤ２が送信されるため、メモ帳アプリケーションの文字列入力画面に入力される測定値をテキスト形式で保存することで、携帯情報端末２において「測定値データ」を取得することができる。
【００６２】
また、測定値データＤ１ａを生成する処理が完了した以降に測定装置１から携帯情報端末２に対して測定値データＤ１ａの測定値を測定値データＤ２として送信する（「キーボード操作時信号」による測定値データの送信を行う）例について説明したが、測定部１１から測定値Ｄ０に基づく測定値データＤ１の生成が完了する都度（測定値Ｄ０を測定値データＤ１として記憶部１６に記憶させる都度）、その測定値データＤ１に記録されている測定値を「キーボード操作時信号」によって測定値データＤ２として送信することもできる。このような動作例においては、測定装置１内への測定結果の保持等を指示されていない限り、上記の例における測定値データＤ１ａ（保存・送信用のデータ）の生成を不要とすることができる。
【００６３】
このように、この測定装置１では、キーボードとして認識されるように携帯情報端末２（外部装置）に対して接続可能に構成されて「キーボード操作時出力信号」を携帯情報端末２に送信可能に構成された通信部１２を備えると共に、処理部１５が、「予め規定された第１の条件」が満たされたとき（例えば、送信開始を指示されたとき）に、測定値データＤ１，Ｄ１ａに記録されている測定値を「キーボード操作時出力信号」に変換して通信部１２から携帯情報端末２に送信して携帯情報端末２の「測定値入力画面（例えばスプレッドシートＳＳ）」における「測定値入力欄（セルＣ）」に測定値を入力する「測定値入力処理」を実行可能に構成されると共に、「測定値入力画面」内に「測定値入力欄」が複数存在するときに、「測定値入力処理」において、測定値を入力すべき「測定値入力欄」の「測定値入力画面」内における位置に応じて、測定値を入力すべき「測定値入力欄」を指定するキー操作に対応する「キーボード操作時出力信号」を、測定値を変換した「キーボード操作時出力信号」に先立って通信部１２から携帯情報端末２に送信する。また、この測定システム１００は、測定装置１、および「外部装置（情報処理端末）」としての携帯情報端末２を備えている。
【００６４】
したがって、この測定装置１および測定システム１００によれば、測定装置１から携帯情報端末２に「キーボード操作時出力信号」によって測定値が送信されることで、一般的な「外部装置（情報処理端末）」において表示画面に表示させることが可能な「測定値入力画面」の「測定値入力欄」（スプレッドシートＳＳや報告書様式ＲＦのセルＣ）に測定値が直接入力されるため、測定装置１から送信される「測定値データ」に記録されている測定値を「測定値入力欄」に入力させる専用のプログラムを用意することなく、測定装置１によって測定された測定値のデータ（上記の例では測定値データＤ２）を携帯情報端末２において確実かつ容易に取得することができる。これにより、専用のプログラムが不要となる分だけ、測定システム１００の製造コストを低減することができると共に、「測定値入力画面」を表示させることが可能な極く一般的な「外部装置（情報処理端末）」によって測定装置１から測定値データＤ２を取得できるため、その利便性を十分に向上させることができる。また、「測定値を入力すべき測定値入力欄を指定するキー操作に対応するキーボード操作時出力信号」が測定装置１から送信されることで、各「測定値入力欄」に対する測定値の入力順序等を変更したり、所望の入力順序で各「測定値入力欄」に測定値が入力される新たな「測定値入力画面」用のデータを作成したりすることなく、「測定値入力画面」における複数の「測定値入力欄」のうちの任意の「測定値入力欄」に測定値を確実かつ容易に入力させることができる。これにより、この測定装置１および測定システム１００によれば、その利便性を一層向上させることができる。
【００６５】
また、この測定装置１では、処理部１５が、「測定値入力処理」において、測定値データＤ１，Ｄ１ａに記録された測定値を構成している記号のなかに１つのキーのキー操作によって入力できない「第１の記号」が存在するときに、「第１の記号」に対応して予め規定された「第１の文字列」を入力するキー操作に対応する「キーボード操作時出力信号」を「第１の記号」に対応する「キーボード操作時出力信号」として送信する。したがって、この測定装置１および測定システム１００によれば、１つのキーのキー操作によって入力できない「第１の記号」が存在する測定値についても、確実かつ容易に「測定値入力欄」に入力させることができる。これにより、この測定装置１および測定システム１００によれば、その利便性を一層向上させることができる。
【００６６】
さらに、この測定装置１では、処理部１５が、「測定値入力処理」において、「予め規定された第２の条件」が満たされたとき（例えば、送信開始を指示されたとき）に、測定値データＤ１，Ｄ１ａに記録されている測定値を補助単位を含めた指数表記形式に変換し、変換後の測定値を「キーボード操作時出力信号」に変換して送信する。したがって、この測定装置１および測定システム１００によれば、測定装置１において補助単位が相違する複数の測定値が測定されたときに、測定装置１に「測定値入力処理」を実行させるだけで、補助単位を含めた指数表記形式に変換された測定値が携帯情報端末２に測定値データＤ２として送信される。これにより、この測定装置１および測定システム１００によれば、携帯情報端末２等において測定値の補助単位を揃える処理を行うことなく、測定装置１において測定された時点における補助単位の相違を考慮せずに、各測定値を容易に比較することができるため、その利便性を一層向上させることができる。
【００６７】
さらに、この測定装置１では、処理部１５が、「測定値入力処理」において、「予め規定された第３の条件」が満たされたとき（例えば、送信開始を指示されたとき）に、測定値データＤ１，Ｄ１ａに記録されている測定値の補助単位を「予め規定された変更手順」に従って変更し、変換後の測定値を「キーボード操作時出力信号」に変換して送信する。したがって、この測定装置１および測定システム１００によれば、携帯情報端末２において補助単位を変更する作業を行うことなく、測定装置１に「測定値入力処理」を実行させるだけで、所望の補助単位に変更された測定値を「測定値入力欄」に入力させることができる。これにより、この測定装置１および測定システム１００によれば、その利便性を一層向上させることができる。
【００６８】
なお、「測定装置」および「測定システム」の構成は、上記の測定装置１および測定システム１００の構成の例に限定されない。例えば、測定装置１および携帯情報端末２を無線通信（上記の例では、Bluetooth）によって相互に接続した状態で測定装置１から携帯情報端末２に対して測定値データＤ２を送信する（携帯情報端末２のスプレッドシートＳＳや報告書様式ＲＦにおけるセルＣに測定値を入力する）構成を例に挙げて説明したが、無線通信による接続に代えて（または、無線通信による接続と切り替えて）、有線通信によって接続した状態において測定値データＤ２を送信する（セルＣ等に測定値を入力する）構成を採用することもできる。一例として、ＵＳＢやＰＳ２などの各種のシリアル通信規格に準じた有線通信が可能な通信ケーブルで「測定装置」および「外部装置（情報処理端末）」を相互に接続させて、「外部装置（情報処理端末）」に対して「測定装置」をキーボードとして認識させた状態で、通信ケーブルを介して「キーボード操作時出力信号」によって測定値等を送信する構成を採用することができる。
【００６９】
また、「測定値入力処理」において「補助単位の変更」を実行可能に構成した例について説明したが、このような構成に加えて、「物理単位の変更」を実行可能に構成することもできる。具体的には、一例として、「9.9989g」との測定値を「0.3527oz」との測定値に変換する処理を実行可能に「測定装置」を構成することもできる。
【００７０】
また、「測定値入力処理」において、送信する測定値に含まれている「小数点を示す記号（文字）」や「３桁毎の区切り記号（文字）」を予め設定された変換条件に従って変換する処理を実行可能に「測定装置」を構成することもできる。
【００７１】
具体的には、「測定装置」から測定値を送信する「外部装置（情報処理端末）」の使用環境に応じて、測定値における「小数点を示す記号」や「３桁毎の区切り記号」をどのような文字として送信すべきかを予め設定しておく。この際に、「小数点」をイギリス式で表記する使用環境において測定値を送信するときには、測定値に含まれる「小数点」を「.（ビリオド）」に対応する「キーボード操作時出力信号」に変換して送信し、「小数点」をフランス式で表記する使用環境において測定値を送信するときには、測定値に含まれる「小数点」を「,（コンマ）」に対応する「キーボード操作時出力信号」に変換して送信するように設定する。
【００７２】
また、測定値に「３桁毎の区切り記号」を含ませて送信する際に、「３桁毎の区切り記号」を「 （スペース）」で表記する使用環境において測定値を送信するときには、測定値に含まれる「３桁毎の区切り記号」を「 （スペース）」に対応する「キーボード操作時出力信号」に変換して送信し、「３桁毎の区切り記号」を「,（コンマ）」で表記する使用環境において測定値を送信するときには、測定値に含まれる「３桁毎の区切り記号」を「,（コンマ）」に対応する「キーボード操作時出力信号」に変換して送信し、「３桁毎の区切り記号」を「'（アポストロフィ）」で表記する使用環境において測定値を送信するときには、測定値に含まれる「３桁毎の区切り記号」を「'（アポストロフィ）」に対応する「キーボード操作時出力信号」に変換して送信し、「３桁毎の区切り記号」を「.（ピリオド）」で表記する使用環境において測定値を送信するときには、測定値に含まれる「３桁毎の区切り記号」を「.（ピリオド）」に対応する「キーボード操作時出力信号」に変換して送信するように設定する。
【００７３】
このように設定しておくことにより、「測定装置」内において「小数点を示す記号」や「３桁毎の区切り記号」をどのような文字として扱われていたとしても、「測定装置」から「外部装置」に測定値を送信させるだけで、「外部装置」において、使用環境に合致する文字で「小数点」や「３桁毎の区切」が表記される測定値を取得することが可能となる。
【００７４】
加えて、「測定装置」から「外部装置（情報処理端末）」に送信する「測定値」は、「電圧値」、「電流値」および「抵抗値」に限定されず、各種の物理量（電力量や位相などの電気的パラメータ、並びに温度、湿度、輝度（光度）、照度、歪み、雨量および流量等の各種パラメータ）を対象とすることができる。
【符号の説明】
【００７５】
１００  測定システム
１  測定装置
２  携帯情報端末
１１  測定部
１２，２１，２２  通信部
１３，２３  操作部
１４，２４  表示部
１５，２５  処理部
１６，２６  記憶部
ＣＡ１，ＣＡ２・・，ＣＢ１，ＣＢ２・・，Ｃ１ａ，Ｃ１ｂ，Ｃ２ａ，Ｃ２ｂ・・  セル
Ｄ０  測定値
Ｄ１，Ｄ１ａ，Ｄ２，Ｄ３  測定値データ
ＳＳ  スプレッドシート
ＲＦ  報告書様式
【図１】
2022001859.tif 000003
【図２】
2022001859.tif 000004
【図３】
2022001859.tif 000005